(57)【特許請求の範囲】
【請求項１】
複数のパワーコンディショナの運転制御を行う運転制御装置であって、
発電所の出力を抑制するための出力制御指令値を取得する出力制御指令値取得部と、
前記複数のパワーコンディショナのうち異常状態にある１つまたは複数の異常パワーコンディショナを検出する異常ＰＣＳ検出部と、
前記異常パワーコンディショナの定格出力、前記異常パワーコンディショナ以外の正常パワーコンディショナの定格出力、および前記取得された出力制御指令値に基づいて、前記異常パワーコンディショナの発電電力を前記正常パワーコンディショナで補填するように、前記正常パワーコンディショナに対する電力指令値を算出する電力指令値算出部と、
前記算出された電力指令値を前記正常パワーコンディショナに送信する出力指令部と、
を備え、
前記正常パワーコンディショナには、電力会社との売電契約により出力制御対象外の第１のパワーコンディショナと、前記電力会社との売電契約により出力制御対象の第２のパワーコンディショナが含まれ、前記電力指令値算出部は、出力制御対象のパワーコンディショナであるか否かに拘わらず、前記第１のパワーコンディショナおよび前記第２のパワーコンディショナに対する電力指令値が均等になるように電力指令値を算出することを特徴とする運転制御装置。
【請求項２】
前記電力指令値算出部は、式（１）を用いて前記電力指令値を算出することを特徴とする請求項１に記載の運転制御装置。
【数１】
0006587984.tif 000004
ここで、ｘ：前記電力指令値、ν：前記出力制御指令値、Ｐ０：前記正常パワーコンディショナおよび前記異常パワーコンディショナの定格出力の総和、Ｐ１：前記正常パワーコンディショナの定格出力の総和である。
【請求項３】
前記算出された電力指令値が１００％より大きい場合、前記出力指令部は、前記正常パワーコンディショナに定格出力で運転するように指令することを特徴とする請求項２に記載の運転制御装置。
【請求項４】
前記出力制御指令値取得部は、前記運転制御装置と通信可能に接続された出力制御指令発信サーバから前記出力制御指令値を所定の周期で取得することを特徴とする請求項１〜３のいずれかに記載の運転制御装置。
【請求項５】
出力制御スケジュール情報が記憶された記憶部をさらに備え、
前記出力制御指令値取得部は、前記記憶部に記憶された前記出力制御スケジュール情報から前記出力制御指令値を取得することを特徴とする請求項１〜３のいずれかに記載の運転制御装置。
【請求項６】
前記異常状態は、前記パワーコンディショナの故障、または、前記パワーコンディショナと前記運転制御装置との間の通信異常であることを特徴とする請求項１〜５のいずれかに記載の運転制御装置。
【請求項７】
複数のパワーコンディショナの運転制御を行う運転制御方法であって、
出力制御指令値取得部が、発電所の出力を抑制するための出力制御指令値を取得するステップと、
異常ＰＣＳ検出部が、前記複数のパワーコンディショナのうち異常状態にある１つまたは複数の異常パワーコンディショナを検出するステップと、
電力指令値算出部が、前記異常パワーコンディショナの定格出力、前記異常パワーコンディショナ以外の正常パワーコンディショナの定格出力、および前記取得された出力制御指令値に基づいて、前記異常パワーコンディショナの発電電力を前記正常パワーコンディショナで補填するように、前記正常パワーコンディショナに対する電力指令値を算出するステップと、
出力指令部が、前記算出された電力指令値を前記正常パワーコンディショナに送信するステップと、
を備え、
前記正常パワーコンディショナには、電力会社との売電契約により出力制御対象外の第１のパワーコンディショナと、前記電力会社との売電契約により出力制御対象の第２のパワーコンディショナが含まれ、前記電力指令値算出部は、出力制御対象のパワーコンディショナであるか否かに拘わらず、前記第１のパワーコンディショナおよび前記第２のパワーコンディショナに対する電力指令値が均等になるように電力指令値を算出することを特徴とする運転制御方法。
【請求項８】
複数のパワーコンディショナの運転制御を行う運転制御プログラムであって、
コンピュータを、
発電所の出力を抑制するための出力制御指令値を取得する出力制御指令値取得手段、
前記複数のパワーコンディショナのうち異常状態にある１つまたは複数の異常パワーコンディショナを検出する異常ＰＣＳ検出手段、
前記異常パワーコンディショナの定格出力、前記異常パワーコンディショナ以外の正常パワーコンディショナの定格出力、および前記取得された出力制御指令値に基づいて、前記異常パワーコンディショナの発電電力を前記正常パワーコンディショナで補填するように、前記正常パワーコンディショナに対する電力指令値を算出する電力指令値算出手段、および
前記算出された電力指令値を前記正常パワーコンディショナに送信する出力指令手段
として機能させるための運転制御プログラムであり、
前記正常パワーコンディショナには、電力会社との売電契約により出力制御対象外の第１のパワーコンディショナと、前記電力会社との売電契約により出力制御対象の第２のパワーコンディショナが含まれ、前記電力指令値算出手段は、出力制御対象のパワーコンディショナであるか否かに拘わらず、前記第１のパワーコンディショナおよび前記第２のパワーコンディショナに対する電力指令値が均等になるように電力指令値を算出する、運転制御プログラム。
【発明の詳細な説明】
【技術分野】
【０００１】
本発明は、パワーコンディショナの運転制御装置、運転制御方法、および運転制御プログラムに関する。
【背景技術】
【０００２】
近年、太陽光発電により発電された電力を電気事業者に売電することが行われている（例えば特許文献１）。具体的には、太陽光パネル（太陽光発電パネル）から出力された直流電力をパワーコンディショナにより交流電力に変換し、得られた交流電力を電力系統に供給する。太陽光発電の発電量が多い場合や電力需要が少ない時期には、電力系統に供給される電力が電気事業者の接続可能量を超えないように太陽光発電所の出力を抑制する必要がある。このような出力抑制は、パワーコンディショナの運転制御を行う運転制御装置が各パワーコンディショナに電力指令値を送信することにより行われる。
【０００３】
なお、本願における「太陽光発電所」は、１つの運転制御装置と、それに繋がるパワーコンディショナおよび太陽光パネルとから構成される。したがって、一事業所であっても、運転制御装置が複数存在する場合は、運転制御装置の数だけ太陽光発電所が存在するとみなす。
【先行技術文献】
【特許文献】
【０００４】
【特許文献１】特開２０１１−１３０６３８号公報
【発明の概要】
【発明が解決しようとする課題】
【０００５】
図６に示すように、従来の運転制御装置１００は、出力制御指令発信サーバ１２０（電力会社等のサーバ）から受信した出力制御指令値を各パワーコンディショナＰ１，Ｐ２，Ｐ３にそのまま送信していた。パワーコンディショナＰ１，Ｐ２，Ｐ３の定格出力がそれぞれ１０ｋＷ、１５ｋＷ、２０ｋＷ（計４５ｋＷ）であって、出力制御指令値が５０％の場合、太陽光発電所の出力電力は最大で２２．５ｋＷとなる。
【０００６】
しかしながら、上記運転制御の場合、故障等の異常状態にあるパワーコンディショナが存在するとき、当該パワーコンディショナの発電電力分の売電損失が発生するという問題があった。例えば、図６に示すように、パワーコンディショナＰ３が故障していた場合、太陽光発電所の出力電力は最大で１２．５ｋＷとなってしまう。
【０００７】
そこで、本発明は、異常状態のパワーコンディショナが存在する場合であっても、売電損失の発生を抑制することが可能な運転制御装置、運転制御方法および運転制御プログラムを提供することを目的とする。
【課題を解決するための手段】
【０００８】
本発明に係る運転制御装置は、
複数のパワーコンディショナの運転制御を行う運転制御装置であって、
発電所の出力を抑制するための出力制御指令値を取得する出力制御指令値取得部と、
前記複数のパワーコンディショナのうち異常状態にある１つまたは複数の異常パワーコンディショナを検出する異常ＰＣＳ検出部と、
前記異常パワーコンディショナの定格出力、前記異常パワーコンディショナ以外の正常パワーコンディショナの定格出力、および前記取得された出力制御指令値に基づいて、前記異常パワーコンディショナの発電電力を前記正常パワーコンディショナで補填するように、前記正常パワーコンディショナに対する電力指令値を算出する電力指令値算出部と、
前記算出された電力指令値を前記正常パワーコンディショナに送信する出力指令部と、
を備えることを特徴とする。
【０００９】
また、前記運転制御装置において、
前記電力指令値算出部は、式（１）を用いて前記電力指令値を算出してもよい。
【数１】
0006587984.tif 000002
【００１０】
ここで、ｘ：前記電力指令値、ν：前記出力制御指令値、Ｐ０：前記正常パワーコンディショナおよび前記異常パワーコンディショナの定格出力の総和、Ｐ１：前記正常パワーコンディショナの定格出力の総和である。
【００１１】
また、前記運転制御装置において、
前記算出された電力指令値が１００％より大きい場合、前記出力指令部は、前記正常パワーコンディショナに定格出力で運転するように指令してもよい。
【００１２】
また、前記運転制御装置において、
前記出力制御指令値取得部は、前記運転制御装置と通信可能に接続された出力制御指令発信サーバから前記出力制御指令値を所定の周期で取得してもよい。
【００１３】
また、前記運転制御装置において、
出力制御スケジュール情報が記憶された記憶部をさらに備え、
前記出力制御指令値取得部は、前記記憶部に記憶された前記出力制御スケジュール情報から前記出力制御指令値を取得してもよい。
【００１４】
また、前記運転制御装置において、
前記異常状態は、前記パワーコンディショナの故障、または、前記パワーコンディショナと前記運転制御装置との間の通信異常であってもよい。
【００１５】
また、前記運転制御装置において、
前記電力指令値算出部は、前記正常パワーコンディショナに対する電力指令値が均等になるように電力指令値を算出してもよい。
【００１６】
また、前記運転制御装置において、
前記正常パワーコンディショナには、電力会社との売電契約により出力制御対象外の第１のパワーコンディショナと、前記電力会社との売電契約により出力制御対象の第２のパワーコンディショナが含まれ、前記電力指令値算出部は、前記第１のパワーコンディショナおよび前記第２のパワーコンディショナに対する電力指令値が均等になるように電力指令値を算出してもよい。
【００１７】
本発明に係る運転制御方法は、
複数のパワーコンディショナの運転制御を行う運転制御方法であって、
出力制御指令値取得部が、発電所の出力を抑制するための出力制御指令値を取得するステップと、
異常ＰＣＳ検出部が、前記複数のパワーコンディショナのうち異常状態にある１つまたは複数の異常パワーコンディショナを検出するステップと、
電力指令値算出部が、前記異常パワーコンディショナの定格出力、前記異常パワーコンディショナ以外の正常パワーコンディショナの定格出力、および前記取得された出力制御指令値に基づいて、前記異常パワーコンディショナの発電電力を前記正常パワーコンディショナで補填するように、前記正常パワーコンディショナに対する電力指令値を算出するステップと、
出力指令部が、前記算出された電力指令値を前記正常パワーコンディショナに送信するステップと、
を備えることを特徴とする。
【００１８】
本発明に係る運転制御プログラムは、
複数のパワーコンディショナの運転制御を行う運転制御プログラムであって、
コンピュータを、
発電所の出力を抑制するための出力制御指令値を取得する出力制御指令値取得手段、
前記複数のパワーコンディショナのうち異常状態にある１つまたは複数の異常パワーコンディショナを検出する異常ＰＣＳ検出手段、
前記異常パワーコンディショナの定格出力、前記異常パワーコンディショナ以外の正常パワーコンディショナの定格出力、および前記取得された出力制御指令値に基づいて、前記異常パワーコンディショナの発電電力を前記正常パワーコンディショナで補填するように、前記正常パワーコンディショナに対する電力指令値を算出する電力指令値算出手段、および
前記算出された電力指令値を前記正常パワーコンディショナに送信する出力指令手段
として機能させるための運転制御プログラムである。
【発明の効果】
【００１９】
本発明では、運転制御装置に接続された複数のパワーコンディショナのうち、異常状態にあるパワーコンディショナを検出し、この異常パワーコンディショナの発電電力を正常パワーコンディショナで補填するように、正常パワーコンディショナに対する電力指令値を算出し送信する。これにより、運転制御装置が制御する複数のパワーコンディショナのうち一部のパワーコンディショナが異常状態であっても、売電損失の発生を抑制することができる。
【図面の簡単な説明】
【００２０】
【図１】実施形態に係る太陽光発電システム（太陽光発電所）１の概略的構成を示す図である。
【図２】実施形態に係る運転制御装置１０の概略的構成を示す図である。
【図３】実施形態に係る運転制御方法を説明するためのフローチャートである。
【図４】実施形態に係る太陽光発電システム１の動作を説明するための図である。
【図５】実施形態に係る太陽光発電システム１の出力電力の時間変化の一例を示すグラフである。
【図６】従来の太陽光発電システム（太陽光発電所）の概略的構成を示す図である。
【発明を実施するための形態】
【００２１】
以下、図面を参照しつつ本発明の実施形態について説明する。なお、各図において同等の機能を有する構成要素には同一の符号を付す。
【００２２】
（太陽光発電システム１）
実施形態に係る太陽光発電システム（以下、「太陽光発電所」ともいう。）１の構成について、図１を参照して説明する。
【００２３】
太陽光発電システム１は、図１に示すように、運転制御装置（出力制御ユニット）１０と、パワーコンディショナＰ１，Ｐ２，Ｐ３と、太陽光パネルＧ１，Ｇ２，Ｇ３とを備えている。
【００２４】
各パワーコンディショナＰ１，Ｐ２，Ｐ３は、運転制御装置１０に有線または無線により通信可能に接続されている。これにより、運転制御装置１０からパワーコンディショナＰ１，Ｐ２，Ｐ３に電力指令値が送信され、反対に、パワーコンディショナＰ１，Ｐ２，Ｐ３から運転制御装置１０に各種モニタリング情報（発電量や異常等）が送信される。
【００２５】
なお、運転制御装置１０とパワーコンディショナＰ１，Ｐ２，Ｐ３との間の接続トポロジは、図１ではスター型であるが、これに限るものではなく、デイジーチェーン方式、バス型等の他の接続方式であってもよい。また、パワーコンディショナの数は３つに限らず任意である。また、運転制御装置１０は、インターネット等の通信ネットワークを介してパワーコンディショナＰ１，Ｐ２，Ｐ３に接続されてもよい。
【００２６】
運転制御装置１０は、詳細については後述するが、パワーコンディショナＰ１，Ｐ２，Ｐ３の運転制御（出力制御）を行うように構成されている。また、運転制御装置１０は、インターネット等の通信ネットワーク３０を介して出力制御指令発信サーバ２０に通信可能に接続されている。出力制御指令発信サーバ２０は、例えば、電力会社のサーバであるが、その他、出力制御スケジュールの作成業者・提供業者のサーバであってもよい。
【００２７】
太陽光パネルＧ１，Ｇ２，Ｇ３は、パワーコンディショナＰ１，Ｐ２，Ｐ３にそれぞれ電気的に接続されている。太陽光パネルＧ１，Ｇ２，Ｇ３は、太陽光を受けて生成された直流電力を接続先のパワーコンディショナＰ１，Ｐ２，Ｐ３に供給する。パワーコンディショナＰ１，Ｐ２，Ｐ３は、太陽光パネルＧ１，Ｇ２，Ｇ３から供給された直流電力を交流電力に変換して、電力系統（図示せず）に供給する。
【００２８】
（運転制御装置１０）
次に、実施形態に係る運転制御装置１０の詳細について、図２〜図５を参照して説明する。
【００２９】
運転制御装置１０は、図２に示すように、制御部１１と、通信部１２と、記憶部１３とを備えている。
【００３０】
制御部１１は、出力制御指令値取得部１１１と、電力指令値算出部１１２と、出力指令部１１３と、異常ＰＣＳ検出部１１４とを有している。各構成要素の詳細については後述する。なお、制御部１１は、ハードウェアで構成されてもよいし、あるいは、ソフトウェア（パワーコンディショナの運転制御プログラム）で構成されてもよい。
【００３１】
通信部１２は、パワーコンディショナＰ１，Ｐ２，Ｐ３や出力制御指令発信サーバ２０との間で情報を送受信するように構成されている。この通信部１２は、パワーコンディショナＰ１，Ｐ２，Ｐ３との間で通信を行う第１通信部（図示せず）と、出力制御指令発信サーバ２０との間で通信を行う第２通信部（図示せず）とを有する。なお、一つの通信部（通信モジュール）がパワーコンディショナＰ１，Ｐ２，Ｐ３および出力制御指令発信サーバ２０の両方と通信を行ってもよい。
【００３２】
記憶部１３は、パワーコンディショナから取得したモニタリング情報や、出力制御指令発信サーバ２０から取得した情報（出力制御指令値等）を記憶する。記憶部１３は、ハードディスクや半導体メモリ等により構成される。なお、記憶部１３には、運転制御装置１０が動作するためのプログラム（運転制御プログラム）が格納されてもよい。また、記憶部１３には、出力制御スケジュール情報が記憶されてもよい。この出力制御スケジュール情報は、所定の期間（例えば４００日分）の固定スケジュール情報である。出力制御スケジュール情報は、運転制御装置１０に接続したノートパソコン等の情報処理端末から保守者により手動でダウンロードされてもよいし、あるいは、通信ネットワーク３０を介して外部のサーバから自動でダウンロードされてもよい。
【００３３】
制御部１１の各構成要素について以下に説明する。
【００３４】
出力制御指令値取得部１１１は、太陽光発電所（太陽光発電システム１）の出力を抑制するための出力制御指令値を取得する。この出力制御指令値取得部１１１は、運転制御装置１０と通信可能に接続された出力制御指令発信サーバ２０から出力制御指令値を所定の周期（例えば３０分おき）で取得する。なお、出力制御指令値取得部１１１は、記憶部１３に記憶された出力制御スケジュール情報から出力制御指令値を取得してもよい。
【００３５】
異常ＰＣＳ検出部１１４は、複数のパワーコンディショナＰ１，Ｐ２，Ｐ３のうち、１つまたは複数の異常パワーコンディショナを検出する。すなわち、異常ＰＣＳ検出部１１４は、運転制御装置１０に接続された複数のパワーコンディショナの中から、異常パワーコンディショナを全て検出する。ここで、異常パワーコンディショナとは、運転制御装置１０に接続された複数のパワーコンディショナのうち、異常状態にあるパワーコンディショナのことである。なお、異常状態は、例えば、パワーコンディショナの故障、パワーコンディショナと運転制御装置１０との間の通信異常である。
【００３６】
電力指令値算出部１１２は、正常パワーコンディショナに対する電力指令値を算出する。ここで、正常パワーコンディショナとは、運転制御装置１０に接続された複数のパワーコンディショナのうち、異常パワーコンディショナ以外のパワーコンディショナ（すなわち、正常状態にあるパワーコンディショナ）のことである。なお、本願において、電力指令値とは、運転制御装置からパワーコンディショナに送信される出力指令値のことである。
【００３７】
より詳しくは、電力指令値算出部１１２は、異常パワーコンディショナの定格出力、正常パワーコンディショナの定格出力、および出力制御指令値取得部１１１により取得された出力制御指令値に基づいて、異常パワーコンディショナの発電電力を正常パワーコンディショナで補填するように、正常パワーコンディショナに対する電力指令値を算出する。
【００３８】
例えば、電力指令値算出部１１２は、式（１）を用いて電力指令値を算出する。
【数２】
0006587984.tif 000003
【００３９】
ここで、ｘ：電力指令値、ν：出力制御指令値、Ｐ０：正常パワーコンディショナおよび異常パワーコンディショナの定格出力の総和（すなわち、太陽光発電所の最大出力電力）、Ｐ１：正常パワーコンディショナの定格出力の総和である。νは、例えば５０％指令の場合、０．５である。なお、式（１）から分かるように、異常パワーコンディショナが存在しない場合はＰ０＝Ｐ１となるため、ｘ＝１００νとなる。よって、出力制御指令発信サーバ２０から取得した出力制御指令値が各パワーコンディショナＰ１，Ｐ２，Ｐ３にそのまま配信される。
【００４０】
出力指令部１１３は、電力指令値算出部１１２により算出された電力指令値を、通信部１２を介して正常パワーコンディショナに送信する。なお、出力指令部１１３は、後述の異常ＰＣＳ検出部１１４により検出された、異常状態にあるパワーコンディショナに対しては電力指令値を送信しない（あるいは、０％指令を送信する）。
【００４１】
なお、各正常パワーコンディショナに対する電力指令値は互いに異なる値でもよいが、太陽光発電所の売電損失をより低減するために、式（１）による電力指令値の算出のように、正常パワーコンディショナに対する電力指令値が均等になるように電力指令値を算出することが好ましい。
【００４２】
ところで、太陽光発電所には、電力会社との売電契約により出力制御対象外とされるパワーコンディショナと、電力会社との売電契約により出力制限対象とされるパワーコンディショナとが存在する場合がある。例えば、太陽光発電所に当初から存在する既設のパワーコンディショナは出力制御対象外であるが、新たに増設されたパワーコンディショナは出力制御対象となることがある。このような場合において、電力指令値算出部１１２は、出力制御対象のパワーコンディショナであるか否かに拘わらず、均等な電力指令値を算出するようにしてもよい。例えば、パワーコンディショナＰ１が電力会社との売電契約により出力制御対象外とされるパワーコンディショナ（第１のパワーコンディショナ）であり、パワーコンディショナＰ２が電力会社との売電契約により出力制限対象とされるパワーコンディショナ（第２のパワーコンディショナ）の場合であっても、電力指令値算出部１１２は、第１のパワーコンディショナおよび第２のパワーコンディショナに対する電力指令値が均等になるように電力指令値を算出する。これにより、太陽光発電所全体として発電効率が向上し、太陽光発電の売電量を増やすことができる。
【００４３】
＜運転制御装置１０の動作＞
次に、図３のフローチャートおよび図４の具体例を参照して、運転制御装置１０の動作の一例について詳しく説明する。本例では、図４に示すように、パワーコンディショナＰ１，Ｐ２，Ｐ３の定格出力はそれぞれ１０ｋＷ、１５ｋＷ、２０ｋＷ（計４５ｋＷ）である。
【００４４】
まず、出力制御指令値取得部１１１が、出力制御指令発信サーバ２０から出力制御指令値を取得する（ステップＳ１１）。ここでは、図４に示すように、出力制御指令発信サーバ２０から、出力制御指令値５０％を取得した。
【００４５】
次に、異常ＰＣＳ検出部１１４が、複数のパワーコンディショナＰ１，Ｐ２，Ｐ３のうち、異常状態にある異常パワーコンディショナを検出する（ステップＳ１２）。ここでは、パワーコンディショナＰ３が故障していることを検出した。
【００４６】
次に、電力指令値算出部１１２が、異常パワーコンディショナの定格出力、正常パワーコンディショナの定格出力、およびステップＳ１１で取得された出力制御指令値に基づいて、正常パワーコンディショナに対する電力指令値を算出する（ステップＳ１３）。本ステップにおいて、電力指令値算出部１１２は、異常パワーコンディショナの発電電力を正常パワーコンディショナで補填するように正常パワーコンディショナに対する電力指令値を算出する。この発電電力の補填は、好ましくは、異常パワーコンディショナの発電電力を可及的に最大限多く補うように行う。
【００４７】
具体的には、電力指令値算出部１１２は、前述の式（１）を用いて正常パワーコンディショナに対する電力指令値を算出する。この場合、ν＝０．５、Ｐ０＝４５ｋＷ、Ｐ１＝２５ｋＷ（＝１０ｋＷ＋１５ｋＷ）なので、電力指令値ｘは９０％と算出される。
【００４８】
次に、出力指令部１１３が、電力指令値算出部１１２により算出された電力指令値が１００％以下であるか否かを判定する（ステップＳ１４）。算出された電力指令値が１００％以下である場合（Ｓ１４；Ｙｅｓ）、出力指令部１１３は、算出された電力指令値を正常パワーコンディショナに送信する（ステップＳ１５）。なお、出力指令部１１３は、異常状態にあるパワーコンディショナＰ３には電力指令値を送信しない（あるいは、０％指令を出力する）。
【００４９】
一方、算出された電力指令値が１００％より大きい場合（Ｓ１４；Ｎｏ）、出力指令部１１３は、正常パワーコンディショナに定格出力で（すなわち１００％出力で）運転するように指令する（ステップＳ１６）。このようにすることで、１００％よりも大きい指令値がパワーコンディショナに送信されることを防止できる。
【００５０】
その後、所定時間（例えば１分）が経過すると（ステップＳ１７；Ｙｅｓ）、ステップＳ１１に戻り、上記の処理を行う。すなわち、運転制御装置１０は、出力制御指令値および異常検出結果に基づいて電力指令値を算出して正常パワーコンディショナに送信するという一連の処理を、所定時間間隔で繰り返す。
【００５１】
上記の例では、図４に示すように、算出された電力指令値（９０％指令）が正常状態にあるパワーコンディショナＰ１，Ｐ２にそれぞれ送信される。よって、太陽光強度が十分な場合、パワーコンディショナＰ１の出力電力は９ｋＷ、パワーコンディショナＰ２の出力電力は１３．５ｋＷとなり、太陽光発電所の合計出力としては２２．５ｋＷとなる。この出力値は、図６を参照して説明した従来の運転制御装置１００を用いた場合の太陽光発電所の出力１２．５ｋＷよりも大きい。このように、正常状態のパワーコンディショナＰ１，Ｐ２が、異常状態のパワーコンディショナＰ３が発電すべき電力量を補うように発電するため、本実施形態によれば、異常パワーコンディショナが存在する場合における売電損失を抑制することができる。
【００５２】
図５は、太陽光発電システム１の出力電力の時間変化の一例を示している。図５において、時刻ｔ１はパワーコンディショナＰ３が故障した時刻であり、時刻ｔ２は異常ＰＣＳ検出部１１４によりパワーコンディショナＰ３の異常が検出された時刻である。なお、ここでは、出力制御指令値が５０％（ν＝０．５）であり、太陽光強度が十分あるものとしている。図５に示すように、太陽光発電システム１の出力電力は、時刻ｔ１において２２．５ｋＷから１２．５ｋＷに低下するものの、時刻ｔ２で故障が検出され、パワーコンディショナＰ１，Ｐ２への出力指令値が５０％から９０％に上昇することにより、元の２２．５ｋＷまで回復する。
【００５３】
上記のように、本実施形態によれば、異常状態のパワーコンディショナが存在する場合であっても、売電損失の発生を抑制することができる。
【００５４】
上述した実施形態で説明した運転制御装置１０の少なくとも一部は、ハードウェアで構成してもよいし、ソフトウェアで構成してもよい。ソフトウェアで構成する場合には、運転制御装置１０の少なくとも一部の機能を実現するプログラムをフレキシブルディスクやＣＤ−ＲＯＭ等の記録媒体に収納し、コンピュータに読み込ませて実行させてもよい。記録媒体は、磁気ディスクや光ディスク等の着脱可能なものに限定されず、ハードディスク装置やメモリなどの固定型の記録媒体でもよい。
【００５５】
また、運転制御装置１０の少なくとも一部の機能を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【００５６】
上記の記載に基づいて、当業者であれば、本発明の追加の効果や種々の変形を想到できるかもしれないが、本発明の態様は、上述した個々の実施形態に限定されるものではない。異なる実施形態にわたる構成要素を適宜組み合わせてもよい。特許請求の範囲に規定された内容及びその均等物から導き出される本発明の概念的な思想と趣旨を逸脱しない範囲で種々の追加、変更及び部分的削除が可能である。
【符号の説明】
【００５７】
１  太陽光発電システム
１０，１００  運転制御装置
１１  制御部
１１１  出力制御指令値取得部
１１２  電力指令値算出部
１１３  出力指令部
１１４  異常ＰＣＳ検出部
１２  通信部
１３  記憶部
２０，１２０  出力制御指令発信サーバ
３０  通信ネットワーク
Ａ  （発電量の増分を示す斜線の）領域
Ｇ１，Ｇ２，Ｇ３  太陽光パネル
Ｐ１，Ｐ２，Ｐ３  パワーコンディショナ
【図１】
0006587984.tif 000005
【図２】
0006587984.tif 000006
【図３】
0006587984.tif 000007
【図４】
0006587984.tif 000008
【図５】
0006587984.tif 000009
【図６】
0006587984.tif 000010